(57)【要約】【課題】背負式ブロワが小型のものであっても、送風管が作業者に近づきすぎないようにして操作性を低下させないようにする。【解決手段】背負式ブロワ１０は、作業者が背負う背負フレーム１１に搭載したボリュート２０と、ボリュート２０内に回転可能に設けた遠心ファン２３と、遠心ファン２３を回転駆動させる原動機２４とを備え、ボリュート２０は、内部の渦形室内に遠心ファン２３を収容して前面側に吸気開口を形成した本体部２１と、本体部２１の側部に設けられて吸い込んだ空気を噴出する噴出筒部２２とを備え、噴出筒部２２に接続した送風管３０から作業者の前側で空気を噴出させるようにしたであり、ボリュート２０の噴出筒部２２の先端開口２２ａが外側を向くように、噴出筒部２２の少なくとも先端部を鉛直方向から３５°〜５０°の角度にて外側に傾斜して延出させた。【選択図】図５
2016160899.tif 000002
【特許請求の範囲】
【請求項１】
作業者が背負う背負フレームと、
前記背負フレームに搭載したボリュートと、
前記ボリュート内に回転可能に設けた遠心ファンと、
前記遠心ファンを回転駆動させる原動機とを備え、
前記ボリュートは、内部の渦形室内に前記遠心ファンを収容して前面側または後面側に吸気開口を形成した本体部と、該本体部の側部に設けられて吸い込んだ空気を噴出する噴出筒部とを有し、該噴出筒部に接続した送風管から作業者の前側で空気を噴出させるようにした背負式ブロワであって、
前記ボリュートの噴出筒部の先端開口が外側を向くように、前記噴出筒部の少なくとも先端部を鉛直方向から３５°〜５０°の角度にて外側に傾斜して延出させたことを特徴とする背負式ブロワ。
【請求項２】
請求項１に記載の背負式ブロワにおいて、
前記ボリュートの噴出筒部を鉛直方向から４０°〜４５°の角度にて外側に傾斜して延出させたことを特徴とする背負式ブロワ。
【発明の詳細な説明】
【技術分野】
【０００１】
本発明は、作業者が背負って落葉等の清掃作業に用いる背負式ブロワに関する。
【背景技術】
【０００２】
特許文献１には背負式ブロワが開示されており、この背負式ブロワは作業者が背負う背負フレームと、背負フレームに搭載したボリュートと、ボリュート内に回転可能に設けた遠心ファンと、遠心ファンを回転駆動させる原動機とを備えている。この背負式ブロワのボリュートは、内部の渦形室内に遠心ファンを収容して前面側に吸気開口を形成した本体部と、本体部の上部から側部に沿って略円弧形に湾曲して設けた空気の噴出筒部とを有しており、噴出筒部には作業者の前側に空気を送り出す送風管が接続されている。送風管は噴出筒部に回動自在に接続したエルボ管と、エルボ管に接続した蛇腹状をしたフレキシブル管と、フレキシブル管に接続した真直管とからなる。送風管のエルボ管はボリュートの噴出筒部に略鉛直軸線回りに回動自在に接続される第１腕部と、第１腕部の先端から略９０°の角度で延出する第２腕部とを有し、第２腕部の先端部にフレキシブル管を接続するようにしている。
【０００３】
作業者が落葉等の清掃作業をするときには、背負フレームを背負った状態で送風管の真直管に設けたグリップを把持し、ボリュートの噴出筒部に接続したエルボ管の第１腕部を鉛直軸線回りに回動させることで、第２腕部を水平方向にて左右方向に回動させ、エルボ管の第２腕部に接続したフレキシブル管及び真直管とを通して噴き出される空気を作業者の前側で左右方向に広範囲に噴き出させ、作業者の前側の地面に広範囲に散る落葉等を吹き集めるように使用する。
【先行技術文献】
【特許文献】
【０００４】
【特許文献１】特開２００２−２５７０９７号公報
【発明の概要】
【発明が解決しようとする課題】
【０００５】
特許文献１の背負式ブロワにおいては、ボリュートの噴出筒部は本体部の上部から側部に沿って略円弧状に湾曲して、噴出筒部の先端開口は下側を向いている。噴出筒部の先端部には送風管を構成するエルボ管の第１腕部が略鉛直軸線回りに回動可能に接続されており、エルボ管の第１腕部を噴出筒部の先端部にて鉛直軸線回りに回動させることによって、エルボ管の第２腕部を水平方向に回動させるようにし、第２腕部に接続したフレキシブル管及び真直管を作業者の前側で左右方向に回動させることができる。この背負式ブロワが比較的大型のものであるときには、ボリュートの径も大きく、ボリュートの噴出筒部は背負フレームを背負う作業者の体（特に腹部周辺）からある程度外側に離れて位置している。大型の背負式ブロワでは、作業者の腕を外側の斜め前方に広げた位置で真直管に設けたグリップを把持し、グリップを左右に移動させることで真直管を左右方向に回動操作することができ、作業者は自然な腕の位置で真直管の左右方向の回動操作をすることができる。しかし、背負式ブロワが比較的小型のものであるときには、ボリュートの径は小さくなり、ボリュートの噴出筒部は背負フレームを背負う作業者の体（特に腹部周辺）に近接した位置となる。小型の背負式ブロワを用いて送風管の真直管を左右方向に回動操作をすると、作業者は近接している送風管（特にエルボ管）に当たりやすくなるとともに、真直管を操作する腕の位置が作業者に近すぎて、送風管を操作しにくい問題があった。本発明は、背負式ブロワが小型のものであっても、送風管が作業者に近づきすぎないようにして操作性を低下させないようにすることを目的とする。
【課題を解決するための手段】
【０００６】
上記課題を解決するために、本発明は、作業者が背負う背負フレームと、背負フレームに搭載したボリュートと、ボリュート内に回転可能に設けた遠心ファンと、遠心ファンを回転駆動させる原動機とを備え、ボリュートは、内部の渦形室内に遠心ファンを収容して前面側に吸気開口を形成した本体部と、本体部の側部に設けられて吸い込んだ空気を噴出する噴出筒部とを備え、噴出筒部に接続した送風管から作業者の前側で空気を噴出させるようにした背負式ブロワであって、ボリュートの噴出筒部の先端開口が外側を向くように、噴出筒部の少なくとも先端部を鉛直方向から３５°〜５０°の角度にて外側に傾斜して延出させたことを特徴とする背負式ブロワを提供するものである。
【０００７】
上記のように構成した背負式ブロワにおいては、ボリュートの噴出筒部の先端開口が外側を向くように、噴出筒部の少なくとも先端部を鉛直方向から３５°〜５０°の角度にて外側に傾斜して延出させたので、噴出筒部に接続した送風管を背負式フレームを背負う作業者の体からある程度離すことができ、作業者は自然な腕の位置で送風管を操作することができた。
【０００８】
上記のように構成した背負式ブロワにおいては、ボリュートの噴出筒部を鉛直方向からさらに４０°〜４５°の角度にて外側に傾斜して延出させるのが好ましい。
【図面の簡単な説明】
【０００９】
【図１】本発明の背負式ブロワの斜め後方から見た斜視図である。
【図２】図１のＡ−Ａ線の断面図である。
【図３】図１のＢ−Ｂ線の断面図である。
【図４】ボリュートの取付筒部を示す斜視図である。
【図５】図１の背面図である。
【発明を実施するための最良の形態】
【００１０】
以下、本発明の背負式ブロワの一実施形態を添付図面を参照して説明する。図１に示したように、背負式ブロワ１０は、作業者が背負う背負フレーム１１と、背負フレーム１１に搭載したボリュート２０と、ボリュート２０内に回転可能に設けた遠心ファン２３と、遠心ファン２３を回転駆動させる原動機２４とを備えている。
【００１１】
背負フレーム１１は作業者がボリュート２０と原動機２４とを背負って運ぶためのものである。背負フレーム１１は、作業者の背中に沿って配置される背板部１２と、背板部１２の下端から後方に延びる台座部１３とからなり、側面から見た形状がＬ字形をしている。背負フレーム１１の台座部１３には前側にボリュート２０が搭載されている。また、ボリュート２０の後側には原動機２４が一体的に組み付けられており、原動機２４はボリュート２０を介して背負フレーム１１に搭載されている。ボリュート２０の前側上部の左右両側部と背板部１２の後側上部の左右両側部との間に一対のコイルスプリング１４が設けられ、ボリュート２０の下部の左右両側部と台座部１３の前部の左右両側部との間には一対のコイルスプリング１５が設けられ、ボリュート２０と原動機２４とはこれらコイルスプリング１４，１５によって背負フレーム１１に防振的に支持されている。
【００１２】
ボリュート２０は内部に渦形室を有した本体部２１を備えており、本体部２１の前面側には吸気開口（図示省略）が形成されている。本体部２１の渦形室は前後方向を軸線方向とする中心軸として渦形に形成され、本体部２１には上部から側方に延びる噴出筒部２２が一体的に形成されている。噴出筒部２２は先端開口２２ａが外側（斜め外側）を向くように、噴出筒部２２の鉛直方向からの角度θを４３°の角度にて外側に傾斜して延出させている。
【００１３】
ボリュート２０の前側上部の左右両側部には前方に突出する筒形取付部２１ａが一体的に形成されており、筒形取付部２１ａの外周面には上部にのみ周方向に延びる複数の係合溝部２１ａ１が軸線方向に複数形成されている。筒形取付部２１ａの外周面の係合溝部２１ａ１は螺旋形状の溝の一部を構成するように形成されている。上述したコイルスプリング１４の一端側はボリュート２０の筒形取付部２１ａの係合溝部２１ａ１に係合して筒形取付部２１ａに取り付けられている。
【００１４】
また、背負フレーム１１の背板部１２にはボリュート２０の前側上部の左右両側部と対向する位置にコイルスプリング１４を取り付けるための取付スリーブ１６が固定されており、取付スリーブ１６の外周面にはコイルスプリング１４を係合させる螺旋溝が穿設されている。コイルスプリング１４の他端側は取付スリーブ１６の螺旋溝に係合して取付スリーブ１６に取り付けられており、取付スリーブ１６を介して背負フレーム１１の背板部１２の上部に取り付けられている。コイルスプリング１４は一端側がボリュート２０の筒形取付部２１ａに固定され、他端側が取付スリーブ１６を介して背負フレーム１１の背板部１２の上部に固定され、下部のコイルスプリング１５とともに原動機２４を組み付けたボリュート２０を背負フレーム１１に防振的に支持させている。ボリュート２０には筒形取付部２１ａを一体的に形成しているが、筒形取付部２１ａの上面にのみ係合溝部２１ａ１を形成しているので、ボリュート２０は筒形取付部２１ａを形成した部分を含めて金型で簡単容易かつ一体的に成形できるようになっている。
【００１５】
ボリュート２０の本体部２１内には遠心ファン２３が前後方向を軸線回りとして回転可能に支持されている。ボリュート２０の後側には上述したように原動機２４が一体的に組み付けられており、原動機２４の駆動軸がボリュート２０内にて遠心ファン２３に固定されている。原動機２４は内燃機関のエンジンよりなり、駆動軸に固定した遠心ファン２３を回転させるものである。原動機２４の駆動によって遠心ファン２３を回転させると、ボリュート２０の本体部２１の吸気開口から空気が吸い込まれ、吸い込まれた空気は噴出筒部２２から噴き出される。
【００１６】
ボリュート２０の噴出筒部２２には送風管３０が接続されている。送風管３０は、噴出筒部２２に回転可能に接続されたエルボ管３１と、エルボ管３１に接続された蛇腹状のフレキシブル管３２と、フレキシブル管３２に接続された真直管３３とを備えている。エルボ管３１は噴出筒部２２に回動可能に接続された第１腕部３１ａと第１腕部３１ａから交差（直交する）する方向に延びる第２腕部３１ｂとを有し、第２腕部３１ｂにフレキシブル管３２が接続されている。第１腕部３１ａと第２腕部３１ｂとはこの実施形態では９０°の角度で交差している。真直管３３には作業者が把持するグリップ３４が設けられており、作業者はグリップ３４を把持して送風管３０の先端開口を所望の方向に向くように操作することができる。
【００１７】
上記のように構成した背負式ブロワ１０の作動について説明する。原動機２４を駆動させると遠心ファン２３が回転し、ボリュート２０の前面側の吸気開口から吸い込まれた空気が噴出筒部２２から噴き出し、噴出筒部２２から噴き出した空気は送風管３０を通って地面に噴き出される。作業者が送風管３０のグリップ３４を把持して真直管３３の先端開口を作業者の前側で左右方向に回動させることで、作業者の前側の地面に広範囲に散る落葉等を吹き集めることができる。
【００１８】
この背負式ブロワ１０は、ボリュート２０、遠心ファン２３及び原動機２４を小型化して軽量化し、これら２０，２３及び２４を搭載する背負フレーム１１をこれまでのものより小さなサイズとすることで、小柄な作業者でも背負ったときに重量及び大きさで負担と感じにくくできるようにした小型の背負式ブロワの一実施形態である。小型の背負式ブロワ１０では、背負フレーム１１及びボリュート２０の本体部２１の左右方向の長さが従来の大型のものよりも短くなるため、ボリュート２０の噴出筒部２２が作業者の体に近くなっている。背景技術で説明した略円弧形に湾曲して設けた空気の噴出筒部ではボリュートの左右方向の中心から略円弧形の噴出筒部の先端開口までの長さが１４０ｍｍ〜１５０ｍｍ程度となっていた。
【００１９】
この背負式ブロワ１０においては、ボリュート２０の噴出筒部２２は先端開口２２ａが外側を向くように、噴出筒部２２を（噴出筒部２２の少なくとも先端部を）鉛直方向から４３°の角度にて外側に傾斜して延出させたので、図５に示したようにボリュート２０の左右方向の中心から噴出筒部２２の先端開口２２ａまでの長さを２００ｍｍまで離すことができた。噴出筒部２２を鉛直方向から４３°の角度にて外側に傾斜して延出させたので、噴出筒部２２に接続したエルボ管３１の第１腕部３１ａの先端が背負フレーム１１から外側に離れるようになり、エルボ管３１の第１腕部３１ａの先端から前方に延びる第２腕部３１ｂと、第２腕部３１ｂに接続したフレキシブル管３２と真直管３３とを背負フレーム１１を背負う作業者の体（特に腹部周辺）からある程度（エルボ管３１の第１腕部３１ａの長さ分だけ）離すことができた。これにより、作業者はグリップ３４を把持して真直管３３を左右方向に回動操作をするときに、作業者は体からある程度外側に離した位置で真直管３３のグリップ３４を把持することができ、作業者は脇を無理に閉めることなく自然な腕の位置で送風管３０を左右及び上下方向に操作することができるようになった。なお、ボリュート２０の左右方向の中心から噴出筒部２２の先端開口２２ａまでの長さを２００ｍｍとしたが、ボリュート２０の左右方向の中心から噴出筒部２２の先端開口２２ａまでの長さが１８０ｍｍ〜２２０ｍｍとしたときに、噴出筒部２２に接続したエルボ管３１の第１腕部３１ａの先端を作業者が作業しやすい位置まで離すことができ、エルボ管３１にフレキシブル管３２を介して接続した真直管３３を操作しやすい位置とすることができた。
【００２０】
上記の実施形態においては、ボリュート２０の噴出筒部２２の鉛直方向からの角度θを鉛直方向から４３°にて外側に傾斜して延出させたが、噴出筒部２２の鉛直方向からの角度θを３５°〜５０°（図５のαの範囲）の角度にて傾斜させたものであってもよく、この範囲であれば、噴出筒部２２に接続したエルボ管３１の第１腕部３１ａの先端が背負フレーム１１から外側に離れるようになり、エルボ管３１の第１腕部３１ａの先端から前方に延びる第２腕部３１ｂと、第２腕部３１ｂに接続したフレキシブル管３２と真直管３３とが背負フレーム１１を背負う作業者の体（特に腹部周辺）からある程度（エルボ管３１の第１腕部３１ａの長さ分だけ）離すことができる。噴出筒部２２の鉛直方向からの角度θを４０°〜４５°（図５のβの範囲）の角度にて傾斜させたときには、噴出筒部２２に接続したエルボ管３１の第１腕部３１ａの先端を背負フレーム１１から外側にて特に最適な距離で離すことができ、エルボ管３１の第１腕部３１ａの先端から前方に延びる第２腕部３１ｂと、第２腕部３１ｂに接続したフレキシブル管３２と真直管３３とが背負フレーム１１を背負う作業者の体（特に腹部周辺）から最も使用しやすい位置まで離すことができる。
【００２１】
上記の実施形態では、噴出筒部２２は軸線方向の全てを鉛直方向から４３°の角度にて外側に傾斜して延出させているが、本発明はこれに限られるものでなく、噴出筒部２２の先端部だけを鉛直方向から４３°（３５°〜５０°の範囲、さらに好ましくは４０°〜４５°の範囲）の角度にて外側に傾斜して延出させたものであってもよく、このようにしたときにも上述したのと同様の作用効果を得ることができる。
【００２２】
上記の実施形態では、ボリュート２０の本体部２１の前面側に吸気開口を形成したが、本発明はこれに限られるものでなく、ボリュート２０の本体部２１の後面側に吸気開口を形成したものであってもよく、このようにしたときにも上述したのと同様の作用効果を得ることができる。
【００２３】
上記の実施形態では、原動機２４は内燃機関のエンジンよりなるが、本発明はこれに限られるものでなく、原動機２４にバッテリや外部電源により駆動する電動モータを用いたものであってもよく、このようにしたときにも上述したのと同様の作用効果を得ることができる。
【符号の説明】
【００２４】
１０…背負式ブロワ、１１…背負フレーム、２０…ボリュート、２１…本体部、２２…噴出筒部、２３…遠心ファン、２４…原動機。
【図１】
2016160899.tif 000003
【図２】
2016160899.tif 000004
【図３】
2016160899.tif 000005
【図４】
2016160899.tif 000006
【図５】
2016160899.tif 000007